(57)【要約】【課題】少ない部品点数と少ない工数で、良好なスキュー調整が可能で、かつ、可動部が保護される光ピックアップ装置を提供する。【解決手段】対物レンズを有するアクチュエータと、それを一面側に支持する光学ベース１とを備える。アクチュエータは、光学ベース１とは反対側に配置されアクチュエータの一部を覆うヨーク３を有する。ヨーク３は、対物レンズを挟んで対向する一対の折り曲げ部３ａ，３ｂを有する。光学ベース１は、一面側に、略球面の一部として形成された支持部Ｂ１〜Ｂ３を有する。光学ベース１は、アクチュエータ２を、ヨーク３における一対の折り曲げ部３ａ，３ｂの内の一方３ａの１箇所Ｙ１及び他方の２箇所Ｙ２，Ｙ３を光学ベース１の支持部Ｂ１〜Ｂ３に当接させて支持して成る。【選択図】図９
2010009720.tif 000002
【特許請求の範囲】
【請求項１】
対物レンズを有するアクチュエータと、前記アクチュエータを一面側に支持する光学ベースと、を備えた光ピックアップ装置において、
前記アクチュエータは、前記光学ベースとは反対側に配置され前記アクチュエータの一部を覆うヨークを有し、
前記ヨークは、前記対物レンズを挟んで対向する一対の折り曲げ部を有し、
前記光学ベースは、前記一面側に、略球面の一部として形成された支持部を有し、
前記光学ベースは、前記アクチュエータを、前記ヨークにおける前記一対の折り曲げ部の内の一方の１箇所及び他方の２箇所を前記光学ベースの前記支持部に当接させて支持して成ることを特徴とする光ピックアップ装置。
【請求項２】
前記一対の折り曲げ部の一方は、その先端部に第１の突起部を有し、
前記第１の突起部を前記支持部に当接する１箇所とし、前記一対の折り曲げ部の他方における一対の隅部、又は他方における先端部に設けられた一対の第２の突起部を前記支持部に当接する２箇所としたことを特徴とする請求項１記載の光ピックアップ装置。
【請求項３】
前記第１の突起部若しくは前記隅部、又は、前記第１の突起部若しくは前記第２の突起部は、前記支持部と当接する面が曲面とされていることを特徴とする請求項２記載の光ピックアップ装置。
【請求項４】
前記支持部は、共通の中心を有する球面の一部として形成されていることを特徴とする請求項１乃至３のいずれか１項に記載の光ピックアップ装置。
【請求項５】
前記共通の中心が前記対物レンズの主点に位置することを特徴とする請求項４記載の光ピックアップ装置。
【請求項６】
前記一対の折り曲げ部のそれぞれにマグネットが取り付けられていることを特徴とする請求項１乃至５のいずれか１項に記載の光ピックアップ装置。
【請求項７】
アクチュエータベースと、対物レンズを有して前記アクチュエータベースに揺動自在に支持された可動部と、前記可動部の一部を覆うと共に前記対物レンズを挟んで対向する一対の折り曲げ部を有して前記アクチュエータベースに固定されたヨークと、を有するアクチュエータを、光学ベースに対して、前記ヨークが前記光学ベースとは反対側に位置し、かつ、前記ヨークの折り曲げ部のみが当接するよう載置するアクチュエータ載置工程と、
前記ヨークにおける前記光学ベースとは反対側の面に対し前記対物レンズを挟むように複数の調整ピンを押し付けると共に、前記調整ピンの付勢力又は押し込み量を調節し、前記ヨークを、前記付勢力又は押し込み量に応じた姿勢となるよう前記光学ベース上で摺動させて、前記光学ベースに対する前記対物レンズの光軸の傾きを調整するスキュー調整工程と、
を有することを特徴とする光ピックアップ装置の製造方法。
【発明の詳細な説明】
【技術分野】
【０００１】
本発明は、ＣＤ（Compact Disc）やＤＶＤ（Digital Versatile Disc）などの光ディスクに対する情報の記録または再生に用いられる光ピックアップ装置及びその製造方法に係り、特に、その光学ベースに対する対物レンズの姿勢を調整するスキュー調整に好適な構造を有する光ピックアップ装置及びその製造方法に関する。
【背景技術】
【０００２】
光ディスク装置などに搭載され、光ディスクの半径方向に往復駆動される光ピックアップ装置は、光学ベースと、光学ベースに支持されたアクチュエータ部と、を有して構成される。
アクチュエータ部は、アクチュエータベースと、このアクチュエータベースにサスペンションワイヤを介して揺動自在に支持された可動部と、可動部に取り付けられた対物レンズと、を有して構成される。
【０００３】
この光ピックアップ装置の製造時には、光学ベースに対する対物レンズの姿勢（光軸）の調整を、いわゆるスキュー調整と称されるラジアルスキュー調整及びタンジェンシャルスキュー調整により行うのが一般的である。
その具体的調整方法としては、光学ベースに対するアクチュエータベースの姿勢をラジアル方向とタンジェンシャル方向とで調整するものであるが、このスキュー調整については、例えば特許文献１に記載されている。
【０００４】
また、スキュー調整をスムーズに行えるとされた構造が特許文献２に記載されている。
この構造では、ヨークベースの一部が光学ベース側に折り曲げられてヨーク片とされ、このヨーク片が光学ベースに設けられた凹所の開口周縁に当接してスムースな調整が可能になるとされている。
【０００５】
また、従来の光ピックアップ装置においては、ヨークが可動部に対して光学ベース側に配置される。
従って、可動部が光ディスクの載置側に露出する構成となっていることから、外部からの粉塵や異物の影響を受けなくするように、また、組み立て工程における光ピックアップ装置単品での搬送の際に誤って可動部に触れて不良品にしてしまうことのないように、可動部の大部分を覆ってこれを保護する保護カバーを装着する場合も多い。
この保護カバーを装着した光ピックアップの例は特許文献３に記載されている。
【０００６】
【特許文献１】特開２０００−２９３８７３号公報（段落番号０００６，０００７）
【特許文献２】特開２００１−２３２０７号公報
【特許文献３】特開２００５−１８８６４号公報
【発明の開示】
【発明が解決しようとする課題】
【０００７】
ところで、特許文献２に記載されたスキュー調整構造も、上述のようにヨークベースが可動部と光学ベースの間に配置された構成となっている。
すなわち、特許文献３で指摘されるような、可動部が光ディスクの載置側に露出する構造となるので、製品としてはさらに保護カバーを装着することが強く望まれる。
【０００８】
しかしながら、光ピックアップ装置に対しては、市場から低コスト化が厳しく要求されており、できるだけ少ない部品点数と少ない工数で、良好なスキュー調整が可能で、かつ、可動部が保護され得る光ピックアップ装置及びその製造方法が望まれている。
【０００９】
そこで、本発明が解決しようとする課題は、少ない部品点数と少ない工数で、良好なスキュー調整が可能で、かつ、可動部が保護される光ピックアップ装置及びその製造方法を提供することにある。
【課題を解決するための手段】
【００１０】
上記の課題を解決するために、本願発明は次の手段を有する。
１）  対物レンズ（４）を有するアクチュエータ（２）と、前記アクチュエータ（２）を一面側に支持する光学ベース（１）と、を備えた光ピックアップ装置において、
前記アクチュエータ（２）は、前記光学ベース（１）とは反対側に配置され前記アクチュエータ（２）の一部を覆うヨーク（３）を有し、
前記ヨーク（３）は、前記対物レンズ（４）を挟んで対向する一対の折り曲げ部（３ａ，３ｂ）を有し、
前記光学ベース（１）は、前記一面側に、略球面の一部として形成された支持部（Ｂ１〜Ｂ３）を有し、
前記光学ベース（１）は、前記アクチュエータ（２）を、前記ヨーク（３）における前記一対の折り曲げ部（３ａ，３ｂ）の内の一方（３ａ）の１箇所（Ｙ１）及び他方の２箇所（Ｙ２，Ｙ３）を前記光学ベース（１）の前記支持部（Ｂ１〜Ｂ３）に当接させて支持して成ることを特徴とする光ピックアップ装置（５０）である。
２）  前記一対の折り曲げ部（３ａ，３ｂ）の一方（３ａ）は、その先端部に突起部（３ｇ）を有し、
前記突起部（３ｇ）を前記支持部（Ｂ１）に当接する１箇所（Ｙ１）とし、前記一対の折り曲げ部（３ａ，３ｂ）の他方（３ｂ）における一対の隅部、又は他方における先端部に設けられた一対の突起部を前記支持部に当接する２箇所（Ｙ２，Ｙ３）としたことを特徴とする１）に記載の光ピックアップ装置（５０）である。
３）  前記突起部又は隅部は、前記支持部（Ｂ１〜Ｂ３）と当接する面が曲面とされていることを特徴とする２）に記載の光ピックアップ装置（５０）である。
４）  前記支持部は、共通の中心（ＣＴ）を有する球面の一部として形成されていることを特徴とする１）乃至３）のいずれかに記載の光ピックアップ装置（５０）である。
５）  前記共通の中心（ＣＴ）が前記対物レンズ（４）の主点に位置することを特徴とする４）に記載の光ピックアップ装置（５０）である。
６）  前記一対の折り曲げ部（３ａ，３ｂ）のそれぞれにマグネット（１１）が取り付けられていることを特徴とする１）乃至５）のいずれかに記載の光ピックアップ装置（５０）である。
【００１１】
７）  アクチュエータベース（８）と、対物レンズ（４）を有して前記アクチュエータベース（８）に揺動自在に支持された可動部と、前記可動部の一部を覆うと共に前記対物レンズ（４）を挟んで対向する一対の折り曲げ部（３ａ，３ｂ）を有して前記アクチュエータベース（８）に固定されたヨーク（３）と、を有するアクチュエータ（２）を、光学ベース（１）に対して、前記ヨーク（３）が前記光学ベース（１）とは反対側に位置し、かつ、前記ヨーク（３）の折り曲げ部（３ａ，３ｂ）のみが当接するよう載置するアクチュエータ載置工程と、
前記ヨーク（３）における前記光学ベース（１）とは反対側の面に対し前記対物レンズ（４）を挟むように複数の調整ピン（１２〜１５）を押し付けると共に、前記調整ピン（１２〜１５）の付勢力又は押し込み量を調節し、前記ヨーク（３）を、前記付勢力又は押し込み量に応じた姿勢となるよう前記支持部（Ｂ１〜Ｂ３）上で摺動させて、前記光学ベース（１）に対する前記対物レンズ（４）の光軸（４ｚ）の傾きを調整するスキュー調整工程と、を有することを特徴とする光ピックアップ装置の製造方法である。
【発明の効果】
【００１２】
本発明によれば、少ない部品点数と少ない工数で、良好なスキュー調整が可能で、かつ、可動部が保護される、という効果を奏する。
【発明を実施するための最良の形態】
【００１３】
本発明の実施の形態を、好ましい実施例により図１〜図１１を用いて説明する。
【００１４】
図１は、本発明の光ピックアップ装置の実施例を示す斜視図である。
図２は、図１で示した実施例を示す３面図であり、図２（ａ）が平面図、（ｂ）が正面図、（ｃ）が右側面図である。
【００１５】
まず、光ピックアップ装置５０の概略について説明する。
【００１６】
実施例の光ピックアップ装置５０は、光学ベース１と、光学ベース１に固定されたアクチュエータ２と、を有して構成されている。
この光ピックアップ装置５０は、光ディスク装置などに搭載される。
具体的には、図１及び図２に示すように、光ピックアップ装置５０は、光学ベース１が、平行な軸ＣＬ１，ＣＬ２上に配置された光ディスク装置側のガイドシャフト（図示せず）に支持され、図示しない駆動手段によって、そのガイドシャフト上を光ディスクの半径方向Ｄ１，Ｄ２に往復移動するよう光ディスク装置に搭載される。
【００１７】
アクチュエータ２は、ヨーク３と対物レンズ４と対物レンズ４を保持するレンズホルダ５とを有する。
図２に示すように、対物レンズ４はレンズホルダ５と共に、光学ベース１に対して、ディスクＤｃに対して離接する方向（フォーカス方向）、及び、ディスクＤｃの半径方向Ｄ１，Ｄ２（トラッキング方向）に駆動される。
この駆動は、サスペンションワイヤ方式の駆動機構により行われる。
【００１８】
図３（ａ）はアクチュエータ２の外観斜視図であり、図３（ｂ）は（ａ）に対してヨークを外した状態を示している。
【００１９】
図３（ａ）及び図３（ｂ）に示されるように、アクチュエータ２は、ヨーク３と、対物レンズ４と、対物レンズ４を保持するレンズホルダ５と、レンズホルダ５と一体化されたボビン６と、ボビン６に一端側が固定された２対合計４本のサスペンションワイヤ７ａ〜７ｄ（７ｄは図示せず）と、サスペンションワイヤ７ａ〜７ｄの他端側が固定され、ボビン６を、サスペンションワイヤ７ａ〜７ｄを介して揺動自在に支持するアクチュエータベース（以下、ＡＣＴベースと称する）８と、を有して構成されている。
【００２０】
以下、サスペンションワイヤ７ａ〜７ｄをまとめて単にサスペンションワイヤ７とも記載する。
【００２１】
ＡＣＴベース８には薄板片が挿入されて係合保持される略袋状の係合部８ａが形成される一方、ヨーク３は、鉄の薄板から形成されており、対向する一対の縁からそれぞれ折り曲げ部３ａ，３ｂが設けられている。
【００２２】
ヨーク３は、一方の折り曲げ部３ａがＡＣＴベース８の係合部８ａに挿入されて係合し、ヨーク３に保持されている。具体的には、挿入を強嵌合として折り曲げ部３ａを係合部８ａに圧入している。
また折り曲げ部３ａ，３ｂの内側の面には、マグネット１１ａ，１１ｂがそれぞれ固着されている。
従って、マグネット１１ａ，ヨーク３，及びマグネット１１ｂは磁気回路を構成する。
【００２３】
ボビン６の周囲には、フォーカスコイル９Ｆが捲回されている。
また、ボビン６におけるＡＣＴベース８側の側面と対物レンズ４を挟んだ反対側の側面とには、それぞれ一対で合計４個のトラッキングコイル９Ｔａ〜９Ｔｄ（９Ｔｄは図示せず）が配置されている。
ここで、これらのコイル９Ｆ，９Ｔａ〜９Ｔｄは、マグネット１１ａ、１１ｂにより生じる磁界中に位置する。
【００２４】
以下、トラッキングコイル９Ｔａ〜９Ｔｄを単にトラッキングコイル９Ｔとも記載する。
【００２５】
各コイル９Ｆ，９Ｔは、サスペンションワイヤ７を介してＡＣＴベース８に取り付けられた基板１０に設けられたアクチュエータ駆動回路に電気的に接続されている。
そして、各コイル９Ｆ，９Ｔに対する通電が、光ディスク装置側に設けられた図示しないフォーカス及びトラッキング制御部によって制御される。
これにより、ボビン６が対物レンズ４と共に、フォーカス方向及びトラッキング方向に駆動され、光ディスクＤｃに対する情報の記録、または再生が良好に行われる。
【００２６】
次に、光学ベース１について詳述する。
図４は、光学ベース１の外観斜視図である。
図５は、光学ベース１の３面図である。図５（ａ）が平面図、（ｂ）が正面図、（ｃ）が右側面図である。
【００２７】
光学ベース１は、樹脂の射出成形や金属のダイキャストにより形成される。
光学ベース１は、底板部１ｄを有し、底板部１ｄに対向する天面側（図４における上方側）が開放されて略箱状を呈する基部１ａを備えている。
基部１ａには、平行な軸ＣＬ１，ＣＬ２に沿って光ディスク装置側に設けられた図示しないガイドシャフトに支持される支持腕１ｂ，１ｃが設けられている。
【００２８】
底板部１ｄには、天面側に向かって突出する３つの突出部１ｅ１〜１ｅ３が形成されている。
この突出部１ｅ１〜１ｅ３の各天面１ｅ１ｔ〜１ｅ３ｔは、点ＣＴを中心とする所定の半径Ｒ０なる球面の一部とされている。
図５の正面図には、突出部１ｅ１の天面１ｅ１ｔについて点ＣＴから半径Ｒ０となる記載をしてあるが、突出部１ｅ１，１ｅ２についても同様とされる。
ここで、各天面１ｅ１ｔ〜１ｅ３ｔを、それぞれベース摺動部Ｂ１〜Ｂ３とも称することにする。
【００２９】
点ＣＴは、光ピックアップ装置５０の対物レンズの主点に設定される。
【００３０】
次に、ヨーク３について詳述する。
図６は、ヨーク３の外観斜視図であり、異なる角度からの２つの斜視図を（ａ），（ｂ）として記載してある。
図７は、ヨーク３の三面図とその中のＡ部及びＢ部の拡大図である。図７（ａ）が平面図、（ｂ）が正面図、（ｃ）が右側面図である。
【００３１】
ヨーク３は、鉄板の薄板をプレス成形して形成される。
板厚は例えば０．８ｍｍである。
【００３２】
ヨーク３は、中心に開口部３ｃを有して枠状に形成された基部３ｋと、基部３ｋにおける対向する一対の枠部３ｄ，３ｅから同じ方向に略９０°に折り曲げられた折り曲げ部３ａ，３ｂと、を有する。
また、枠部３ｄの両端部には、折り曲げ部３ａの曲げ方向と同じ方向に傾斜して外方に突出する突出片３ｆ，３ｆがそれぞれ形成されている。
【００３３】
この突出片３ｆ，３ｆは、上述の図３では省略してある。
【００３４】
枠部３ｄ，３ｅには、折り曲げ部３ａ，３ｂの曲げ方向と同じ方向に突き出す突き出し部３ｈ，３ｈがそれぞれ形成されている。
また、折り曲げ部３ａ，３ｂそれぞれの両側面には、内側に突出する突き出し部３ｉ，３ｊが形成されている。
突き出し部３ｈ，３ｈ及び突き出し部３ｉ，３ｊにより、折り曲げ部３ａ，３ｂの内側の面に固着されるマグネット１１，１１（図３参照）の位置決めなされる。
マグネット１１，１１は、接着剤によりヨーク３に固着される。
【００３５】
折り曲げ部３ａ，３ｂが形成されていない一対の枠部３ｍ，３ｍの内側となる面には、他よりも薄肉とされた薄肉部３ｎが設けられている。
この薄肉部３ｎは、ボビン６の位置と対応して設けられており、アクチュエータ２のフォーカス方向やトラッキング方向の駆動時に、ボビン６が基部３ｋに衝突するのを避けるための逃げとなる。
【００３６】
折り曲げ部３ａの先端部には、その中央付近にさらに突出する突起部３ｇが設けられている。
図７におけるＡ部拡大図及びＢ部拡大図からわかるように、突起部３ｇの先端の各隅部は、Ｒ１〜Ｒ４で示すように曲面で形成され、曲面化されている。
この隅部の曲面化は、ヨーク３の製造工程において、隅部をつぶすプレス工程を設けて実現している。
この曲面化は、少なくとも、Ｒ１及びＲ２、並びに外側の隅部のＲ３について実施されていることが望ましい。
また、各隅部が球面に曲面化されていることがより望ましい。
【００３７】
図８は、図６におけるＣ部拡大図である。
【００３８】
この図８からわかるように、折り曲げ部３ｂの先端の両隅部は、Ｒ５〜Ｒ８で示すように曲面で形成され、曲面化されている。
この隅部の曲面化は、ヨーク３の製造工程において、隅部をつぶすプレス工程を設けて実現している。
この曲面化は、少なくとも、Ｒ５及びＲ６、並びに外側の隅部のＲ７について実施されていることが望ましい。
また、図８（ｂ）に示される形状において、隅部のＲ７及びＲ８が円弧状に滑らかに曲面化されていることがより望ましい。
【００３９】
ここで、突起部３ｇの曲面化された先端部をヨーク摺動部Ｙ１と称し、折り曲げ部３ｂの先端の曲面化された両隅部をそれぞれヨーク摺動部Ｙ２，Ｙ３と称することにすると、ヨーク摺動部Ｙ１〜Ｙ３は、それぞれベース摺動部Ｂ１〜Ｂ３に当接するように載置される。
【００４０】
これについて、図９及び図１０を用いて説明する。
図９は、光学ベース１及び光学ベース１にアクチュエータ２を装着した状態におけるヨーク３のみを示した斜視図である。斜視角度の異なる２つの図を図９（ａ）及び図９（ｂ）として示してある。
図１０は、図９と同様の状態において光学ベース１とヨーク３のみを示した５面図である。図１０（ａ）が平面図、（ｂ）が正面図、（ｃ）が左側面図、（ｄ）が右側面図、（ｅ）が背面図である。
【００４１】
図９（ａ）には、ヨーク摺動部Ｙ１がベース摺動部Ｂ１に当接している状態と、ヨーク摺動部Ｙ２がベース摺動部Ｂ２に当接している状態とが示されている。
図９（ｂ）には、ヨーク摺動部Ｙ１がベース摺動部Ｂ１に当接している状態と、ヨーク摺動部Ｙ３がベース摺動部Ｂ３に当接している状態とが示されている。
【００４２】
各ベース摺動部Ｂ１〜Ｂ３は、共通中心を有する球面の一部として形成され、各ヨーク摺動部Ｙ１〜Ｙ３が曲面で形成されているので、両者の当接は３点のそれぞれでほぼ点接触となる。
従って、両者が当接できる範囲内でヨーク３は光学ベース１に対して摺動し、任意の姿勢をとることができる。
各ベース摺動部Ｂ１〜Ｂ３は、真球面の一部として形成されていることが好ましいが、概ね球面の一部とされていればよい。
【００４３】
ここで、図９（ａ）に示すように、ベース摺動部Ｂ１〜Ｂ３の曲面の中心点ＣＴを通り軸ＣＬ１，ＣＬ２に平行な軸をＸ軸とし、同じく中心点ＣＴを通り光ディスクＤｃに平行で軸ＣＬ１，ＣＬ２に直交する軸をＹ軸とし、Ｘ軸及びＹ軸と直交する軸をＺ軸とする。
【００４４】
この場合、ヨーク３は、光学ベース１に対し、少なくとも、Ｙ軸まわりの回動であるラジアル方向ＤＲの摺動と、タンジェンシャル方向ＤＴの摺動とが可能となっている。
実際は、ヨーク３はＡＣＴベース８に一体的に固定されているので、光学ベース１に対し、アクチュエータ２のラジアル方向ＤＲ及びタンジェンシャル方向ＤＴの摺動が可能となっている。
すなわち、アクチュエータ２のラジアルスキュー調整とタンジェンシャルスキュー調整とが可能となっている。
【００４５】
この調整できる角度が、少なくとも各軸まわりに±２°程度となるように、ベース摺動部Ｂ１〜Ｂ３の面が形成されている。
【００４６】
次に、光ピックアップ装置５０の製造工程におけるスキュー調整について、図１１を用いて説明する。
図１１は、光学ベース１にアクチュエータ２を載置した状態を示している。
【００４７】
まず、スキュー調整治具における基準面に光学ベース１をセットし、アクチュエータ２を載置する。
スキュー調整治具は、基準面に対する対物レンズ４の光軸４ｚの傾きを測定できるものであり、このスキュー調整において、治具の基準面に光学ベース１の基準面を当接させ、光学ベース１の基準面に対して対物レンズ４の光軸４ｚが所定の角度になるように調整される。
【００４８】
アクチュエータ２を載置した側から、ヨーク３に対して４本の調整ピン１２〜１５を押し当てる。
調整ピン１２，１３は、Ｙ軸を挟む枠部３ｍ，３ｍに当接させて図の下方に付勢する。
調整ピン１４，１５は、Ｘ軸を挟む枠部３ｄ，３ｅに当接させて図の下方に付勢する。
すなわち、調整ピン１２，１３及び調整ピン１４，１５は、互いに対物レンズを挟んでヨーク３に押し当てられる。
この付勢力は、各調整ピンの根本側にその調整ピンをヨーク３側に向けて付勢するコイルバネを設けることで、その反発力として得ることができる。
【００４９】
各調整ピン１２〜１５の付勢力を調整することで、ヨーク３すなわちアクチュエータ２はその付勢力のバランスが取れる姿勢になるので、対物レンズ４の光軸４ｚが基準面に対して所定の角度になるように、調整ピン１２〜１５の付勢力を調整する。
また、付勢力の替わりにヨーク３の押し込み量（ストローク）を調整してもよい。各調整ピン１２〜１５の押し込み量を調整することで、ヨーク３すなわちアクチュエータ２は各調整ピンの押し込み量に対応した姿勢になるので、対物レンズ４の光軸が基準面に対して所定の角度になるように、調整ピン１２〜１５の押し込み量を調整する。
【００５０】
光軸４ｚが所定の角度になった時点で、ヨーク３と光学ベース１とを接着や半田を用いて固定する。この接着剤として光硬化型接着剤などを用いることができる。
接着剤の塗布位置は、図１０に示すＨ１〜Ｈ４の４箇所である。
Ｈ３，Ｈ４は、突出片３ｆと光学ベース１とを固着している。突出片３ｆは、ヨーク３の基部３ｋから突出しているので、接着剤のまわりこみなどに特に注意しなくても、容易に塗布することができる。
【００５１】
また、突出片３ｆは、何らかの理由でアクチュエータ２が過度に傾いた場合に光学ベース１に当接するように形状が設定されており、過度の傾斜により不良が発生することを防止する機能を有する。
この過度の傾斜の規制は、ヨーク３と光学ベース１とではなく、ＡＣＴベース８と光学ベース１とが当接するようにしてもよい。
【００５２】
上述した光ピックアップ装置は、ヨーク３がボビン６に対して光学ベース１の反対側に配置されている。
ヨーク３の開口部３ｃは、対物レンズ４が外部（光ディスクＤｃ側）に露出するだけの開口とすることができる。
【００５３】
従って、ヨーク３により、アクチュエータの一部が覆われる。具体的には、ヨーク３が、可動部である、ボビン６、サスペンションワイヤ７、フォーカスコイル９Ｆ，トラッキングコイル９Ｔなどを覆って外部に露出しないようにすることができるよう構成されている。
少なくとも、ヨーク３が可動部材で非常に強度的に弱いサスペンションワイヤ７，フォーカス及びトラッキングコイル９Ｆ，９Ｔを覆ってこれらを保護することができる。
【００５４】
これにより、光ピックアップ装置５０は、外部からの粉塵や異物の影響を受けにくく、単品での搬送の際に誤って可動部に触れてしまうことがなく、不良品となる可能性が極めて小さい。
【００５５】
また、可動部を保護する保護カバーが不要となるので、部品点数が減ると共に、組み立て工数も減ってコストダウンが可能となる。
【００５６】
また、スキュー調整工程において、調整ピン１２〜１５を、ヨーク３に直接当てることができる。すなわち、アクチュエータ２の載置と調整ピンの当てを、同じ側（図１１の上方側）から行えるので、調整作業が容易になり、調整治具の製作も簡単になる。
【００５７】
本発明の実施例は、上述した構成及び手順に限定されるものではなく、本発明の要旨を逸脱しない範囲において変形例としてもよいのは言うまでもない。
ヨーク摺動部Ｙ２，Ｙ３は、折り曲げ部３ｂの隅部に限らず、ヨーク摺動部Ｙ１（３ｇ）のように突出する突起部であってもよい。
【図面の簡単な説明】
【００５８】
【図１】本発明の光ピックアップ装置の実施例を示す斜視図である。
【図２】本発明の光ピックアップ装置の実施例を示す三面図である。
【図３】本発明の光ピックアップ装置の実施例を説明するための斜視図である。
【図４】本発明の光ピックアップ装置の実施例の要部を説明するための斜視図である。
【図５】本発明の光ピックアップ装置の実施例の要部を説明するための三面図である。
【図６】本発明の光ピックアップ装置の実施例の他の要部を説明するための斜視図である。
【図７】本発明の光ピックアップ装置の実施例の他の要部を説明するための三面図である。
【図８】本発明の光ピックアップ装置の実施例の他の要部を説明するための部分拡大図である。
【図９】本発明の光ピックアップ装置の実施例の構造を説明するための要部についての斜視図である。
【図１０】本発明の光ピックアップ装置の実施例の構造を説明するための要部についての三面図である。
【図１１】本発明の光ピックアップ装置の製造方法の実施例におけるスキュー調整について説明するための図である。
【符号の説明】
【００５９】
１  光学ベース
１ａ  基部
１ｂ，１ｃ  支持腕
１ｄ  底板部
１ｅ１〜１ｅ３  突出部
１ｅ１ｔ〜１ｅ３ｔ  天面
２  アクチュエータ
３  ヨーク
３ａ，３ｂ  折り曲げ部
３ｃ  開口部
３ｄ，３ｅ，３ｍ  枠部
３ｆ  突出片
３ｇ  突起部
３ｈ，３ｉ，３ｊ  突き出し部
３ｋ  基部
３ｎ  薄肉部
４  対物レンズ
５  レンズホルダ
６  ボビン
８  ＡＣＴベース（アクチュエータベース）
８ａ  係合部
７，７ａ〜７ｄ  サスペンションワイヤ
８  ＡＣＴベース
９Ｆ  フォーカスコイル
９Ｔ，９Ｔａ〜９Ｔｄ  トラッキングコイル
１０  基板
１１ａ，１１ｂ  マグネット
１２ａ，１２ｂ，１３ａ，１３ｂ  調整ピン
５０  光ピックアップ装置
Ｂ１〜Ｂ３  ベース摺動部
Ｙ１〜Ｙ３  ヨーク摺動部
ＣＴ  主点
【図１】
2010009720.tif 000003
【図２】
2010009720.tif 000004
【図３】
2010009720.tif 000005
【図４】
2010009720.tif 000006
【図５】
2010009720.tif 000007
【図６】
2010009720.tif 000008
【図７】
2010009720.tif 000009
【図８】
2010009720.tif 000010
【図９】
2010009720.tif 000011
【図１０】
2010009720.tif 000012
【図１１】
2010009720.tif 000013